(57)【要約】【課題】エアフィルタ清掃装置を備えた機器において、エアフィルタに付着しなかった塵埃を効率よく吸引する機器を提供する。【解決手段】機器に流入する空気に含まれる塵埃を捕集するエアフィルタ２と、該エアフィルタ２の上流側を移動して塵埃を吸引する吸引ノズル３と、該吸引ノズル３に連結された吸引排気装置とを備え、該吸引ノズル３の下部に吸引ノズル３が移動する範囲に受け皿１８を形成し、エアフィルタ２に付着せず、吸引ノズル３に吸引されなかった塵埃を受け皿１８で受け止め、吸引ノズル３の吸引孔を受け皿１８に対向する位置に移動し、受け皿１８に堆積した塵埃を吸引するもので、吸引ノズル３の下方に設けた駆動装置１２に塵埃が侵入して動作異常を起こすことを防止し、又機器内部に塵埃が堆積することを防止することによりカビの発生を防止することが出来る。【選択図】図６
2008256300.tif 000002
【特許請求の範囲】
【請求項１】
熱交換器と、前記熱交換器に流入する空気に含まれる塵埃を捕集するエアフィルタと、前記エアフィルタの上流側表面に沿って移動可能で前記エアフィルタが捕集した塵埃を吸引する吸引ノズルと、前記吸引ノズルに連結され前記吸引ノズルが吸引した塵埃を吸引し排出する吸引排気装置とを備え、前記吸引ノズルに、前記吸引ノズルの移動方向と直交する方向に移動可能でかつ吸引孔を有する環状のフィルムを懸架し前記吸引ノズルが移動する左右方向の範囲であって前記吸引ノズルの下部に塵埃を受ける受け皿を形成したことを特徴とする空気調和機。
【請求項２】
受け皿を吸引ノズルと該吸引ノズルを駆動する駆動装置の間に形成したことを特徴とする請求項１に記載の空気調和機。
【請求項３】
吸引ノズルは、エアフィルタの上流側表面と前記受け皿とに対向して開口部を有し、フィルムで前記開口部を覆うと共に前記フィルムを複数のローラで支持し、ギヤで前記開口部に沿って移動可能に懸架し、吸引孔が前記エアフィルタの上流側面及び前記受け皿に対向する位置まで移動する構成としたことを特徴とする請求項１に記載の空気調和機。
【発明の詳細な説明】
【技術分野】
【０００１】
本発明は、空気調和機、空気清浄機等の空気吸入口にエアフィルタを備え、エアフィルタの清掃を自動的に行うようにした機器に関するものである。
【背景技術】
【０００２】
従来のエアフィルタを有する機器は、吸入された空気に含まれる塵埃が機器に入り込むのを防止するためにエアフィルタを設けており、このエアフィルタは付着した塵埃を定期的に清掃する時の便宜を図るため着脱出来るよう構成されている。
【０００３】
一方、エアフィルタの清掃が容易なエアフィルタ装置として、エアフィルタの上流側面に吸引ノズルを摺動させ自動的にエアフィルタを清掃する空気調和機が提案されている（例えば、特許文献１参照）。
【特許文献１】特開２００５−１４０４０３号公報
【発明の開示】
【発明が解決しようとする課題】
【０００４】
しかしながら、従来のエアフィルタは、使用頻度に応じて機器よりエアフィルタを取り外し、水洗いもしくは掃除機などで付着した塵埃を掃除するという定期的なメンテナンスを要する。また、定期的にメンテナンスが成されなかった場合、エアフィルタに塵埃が堆積し吸込み空気の通気抵抗が増大するため機器の性能が低下、消費電力が増大するという課題があった。
【０００５】
一方、上記広報記載の機器は、エアフィルタに付着した塵埃をエアフィルタの上流側面に設けた吸引ノズルにより吸引する構成としたものであるが、吸引ノズルの吸引口はエアフィルタと対向する位置のみにあり、もしエアフィルタに付着せずエアフィルタの下方に落下してしまった塵埃は吸引されないという課題を有している。
【課題を解決するための手段】
【０００６】
本発明は、従来技術の有するこのような問題点に鑑みてなされたものであり、吸引ノズルの下方に受け皿を設け、エアフィルタに付着せず受け皿に堆積した塵埃を吸引ノズルの底部に設けた吸引口にて吸引する構成としたものである。これにより、エアフィルタに付着せずにエアフィルタの下方に落下する塵埃を確実に捕集する事が出来る。
【発明の効果】
【０００７】
吸引ノズルの下方に受け皿を設けることにより、エアフィルタに付着せず落下した塵埃が堆積することを防ぐことにより、堆積した塵埃からカビが発生することを防止し、又吸い込みノズル下部にある吸い込みノズルの駆動装置に塵埃が侵入し動作異常を起こすことを未然に防止することが出来る。
【発明を実施するための最良の形態】
【０００８】
第１の発明は、熱交換器と、前記熱交換器に流入する空気に含まれる塵埃を捕集するエアフィルタと、前記エアフィルタの上流側表面に沿って移動可能で前記エアフィルタが捕集した塵埃を吸引する吸引ノズルと、前記吸引ノズルに連結され前記吸引ノズルが吸引した塵埃を吸引し排出する吸引排気装置とを備え、前記吸引ノズルに、前記吸引ノズルの移動方向と直交する方向に移動可能でかつ吸引孔を有する環状のフィルムを懸架し前記吸引ノズルが移動する左右方向の範囲であって前記吸引ノズルの下部に塵埃を受ける受け皿を形成したもので、この構成を成すことにより、エアフィルタに付着せず、吸引ノズルに吸
引されなかった塵埃を受け皿で受け止め、塵埃が吸引ノズルの下方に落下堆積することを防止することが出来る。
【０００９】
第２の発明は、受け皿を吸引ノズルと該吸引ノズルを駆動する駆動装置の間に形成したもので、この構成を成すことにより、エアフィルタに付着せず、吸引ノズルに吸引されなかった塵埃が吸引ノズル下方に設けられた吸引ノズル駆動装置に侵入することを防止し、駆動装置の動作異常を起こすことを未然に防止することが出来る。
【００１０】
第３の発明は、吸引ノズルは、エアフィルタの上流側表面と前記受け皿とに対向して開口部を有し、フィルムで前記開口部を覆うと共に前記フィルムを複数のローラで支持し、ギヤで前記開口部に沿って移動可能に懸架し、吸引孔が前記エアフィルタの上流側面及び前記受け皿に対向する位置まで移動する構成としたもので、この構成を成すことにより、受け皿に堆積した塵埃をフィルムの吸引孔を受け皿に対抗する位置に移動し吸引し室外に塵埃を排気することにより、機器内部に塵埃が堆積することを防止し、堆積した塵埃からカビの発生を防止することが出来る。
【００１１】
以下、本発明の実施の形態について、図面を参照しながら説明する。なお、この実施の形態によって本発明が限定されるものではない。
【００１２】
（実施の形態１）
図１は本発明の実施の形態１における空気調和機のエアフィルタの取り付け部を示す斜視図である。
【００１３】
図１、図２、図６において、エアフィルタ２は、熱交換器（図示せず）の上流側に配され、熱交換器に流入する空気中に含まれる塵埃を除去するエアフィルタで、フィルタ枠１に支持固定され、さらに、そのエアフィルタ２の上流側の表面に沿って左右方向に移動可能な吸引ノズル３が設けられている。吸引ノズル３の上下には、ローラ１０，１１が取り付けられ、フィルタ枠１の上下に設置されたレール４をガイドとして、エアフィルタ２の表面と極めて狭い間隙を保って円滑に左右に移動できるようになっている。
【００１４】
さらに、５は可撓性に優れた蛇腹状のホース等から形成されたダクトで、その一端は吸引ノズル３に連結され、他端は、吸引排気装置６に連結され、前記吸引排気装置６の排気側には、室外へ引き回された排気ダクト７に連結されている。フィルタ枠１の下部には駆動装置１２と駆動ベルト１６が配置されており、駆動ベルト１６を吸引ノズル３の下部にあるベルト固定部３ａに固定し、駆動装置１２を駆動することにより吸引ノズル３を左右方向に自在に移動させることが出来る。
【００１５】
又、吸引ノズル３の下部に吸引ノズルが移動する範囲に、フィルタ枠１と一体で受け皿１８が構成されている（図６、図７参照）。駆動装置１２の駆動ベルト１６や吸引ノズル３のベルト固定部３ａは受け皿１８の下部に配置されており、受け皿１８はエアフィルタ２に付着せず下方に落下する塵埃を捕集し、下部にある吸引ノズル３の駆動部品に塵埃が堆積し駆動装置の動作不良を未然に防止している。
【００１６】
次に、図２〜図５を用いて吸引ノズル３の構造の詳細を説明する。
【００１７】
図２は吸引ノズル３の斜視図で、図３は吸引ノズル３の背面よりの斜視図、図４は吸引ノズル３の側断面図、図５は吸引ノズル３の縦断面である。
【００１８】
吸引ノズル３は、吸引した風の流通路を構成するノズル８と、ノズル８を囲むように設けられたフィルム９と、フィルム９を支持して駆動力を伝えるギヤ１４と、フィルム９を
支持して円滑に駆動させるための複数のローラ１５ａ、１５ｂ、１５ｃ、１５ｄから構成される。ノズル８のエアフィルタ２側の面及びノズル８の底面で受け皿１８に対向する面にノズル開口部８ａが設けてある。
【００１９】
一方、フィルム９は環状に形成され、ノズル開口部８ａを覆うようにノズル８の外周に巻き付けられ、エアフィルタ２側の面は、ノズル開口部８ａとほぼ同一の開口形状を有する開口部１７ａが設けられたフィルムガイド１７で支持されている。フィルム９にはスリット状の吸引孔９ａが設けてあり、その吸引孔９ａの位置がノズル開口部８ａに相対する位置にくるようにフィルム９が取り付けられている。フィルム９の両側には等間隔に駆動孔９ｂが設けられており、ステッピングモータ１３に連結されたギヤ１４が、駆動孔９ｂに噛み合わさることによってフィルム９は上下方向、すなわち吸引ノズル３の左右の移動方向に直交する方向で、自在に移動できるようになっている。
【００２０】
フィルムの９の吸引孔９ａの大きさは吸引排気装置６の吸引力により決まる。すなわち、吸引能力の大きなものを使用すれば吸引孔の面積を大きくしても塵埃を吸引するだけの風速を得ることが出来、小さなものを採用すると面積を小さくして必要な風速を得なければならない。
【００２１】
よって、吸引孔９ａの縦方向の長さはエアフィルタ２の縦方向の長さの数分の１になり、仮にＮ分の１として、エアフィルタ２の全面を吸引清掃する動作について説明する。
【００２２】
エアフィルタ２の右上部より清掃を始めるとすると、吸引ノズル３は右端に移動し、吸引孔９ａはフィルム９の回転によりエアフィルタ２の右上部に移動する。次に吸引排気装置６が働き吸引が始まると同時に、駆動装置１２の駆動により吸引ノズル３が左に移動を始める。そして、エアフィルタ２の左端まで行くと吸引ノズル３が止まり、フィルム９が下の方向に移動を始め、吸引孔９ａの高さ方向の寸法（エアフィルタ２の高さ寸法のＮ分の１）だけ移動して停止する。と同時に吸引ノズル３が右側に移動を始め、エアフィルタ２の右端まで移動する。これをＮ回繰り返すことによりエアフィルタ２の全面を清掃する。
【００２３】
エアフィルタ２の全面の清掃が終わると、吸引ノズル３は右側に移動して止まり、フィルム９の吸入孔９ａはエアフィルタ２の最下部を通り過ぎ、吸引ノズル３の底部で、受け皿１８に対向する位置まで移動して停止する。と同時に吸引ノズル３が左側に動き始め、受け皿に堆積した塵埃の吸引排気を行う。これにより、受け皿１８に堆積した塵埃を取り除くことにより、塵埃からのカビの発生を防止することが出来る。又、塵埃が機器の内部に飛散することを防止できる。
【産業上の利用可能性】
【００２４】
以上のように、本発明に係る空気調和機は、エアフィルタに付着する塵埃の吸引清掃とエアフィルタで捕集できなかった塵埃も吸引排気出来るので、エアフィルタを備えた空気調和機、空気清浄機等に広く適用できるものである。
【図面の簡単な説明】
【００２５】
【図１】本発明の実施の形態１における空気調和機のエアフィルタの取り付け部の斜視図
【図２】同空気調和機の吸引ノズルの斜視図
【図３】同吸引ノズルの裏面斜視図
【図４】同吸引ノズルの側断面図
【図５】同吸引ノズルの縦断面図
【図６】本発明の実施の形態１における空気調和機の吸引ノズルの斜視図
【図７】同空気調和機の吸引ノズルの駆動部断面図
【符号の説明】
【００２６】
１  フィルタ枠
２  エアフィルタ
３  吸引ノズル
３ａ  ベルト固定部
４  レール
５  ダクト
６  吸引排気装置
７  排気ダクト
８  ノズル
８ａ  開口部
９  フィルム
９ａ  吸引孔
１０  ローラ
１１  ローラ
１２  駆動装置
１３  ステッピングモータ
１４  ギヤ
１５ａ〜１５ｄ  ローラ
１６  駆動ベルト
１７  フィルムガイド
１７ａ  開口部
１８  受け皿
【図１】
2008256300.tif 000003
【図２】
2008256300.tif 000004
【図３】
2008256300.tif 000005
【図４】
2008256300.tif 000006
【図５】
2008256300.tif 000007
【図６】
2008256300.tif 000008
【図７】
2008256300.tif 000009